【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
ラウドスピーカーによるレンダリングのための第一のオーディオ信号を受領する第一の受領器と；
マイクロフォン信号を受領する第二の受領器と；
前記第一のオーディオ信号から第一の補償信号を生成する線形エコー打ち消しフィルタと；
前記マイクロフォン信号から前記第一の補償信号を減算することによって残留信号を生成する補償器と；
前記残留信号に応答して前記線形エコー打ち消しフィルタのためのフィルタ・パラメータの集合を決定する第一の適応器と；
前記第一のオーディオ信号の第一の周波数区間における信号成分のレンダリングによって引き起こされる非線形歪みの指示を与える少なくとも一つの歪み指標の集合を生成するよう構成された第一の推定器であって、少なくとも一つの歪み指標の前記集合のうちの歪み指標は、前記第一の周波数区間の外側の少なくとも一つの周波数区間における前記残留信号への寄与を示す、第一の推定器と；
少なくとも一つの歪み指標の前記集合に応答してエコー抑制を実行するよう構成されたエコー低減器とを有しており、
前記第一の推定器は、前記第一の周波数区間に属さない前記残留信号についての類似性指標を決定する比較器を有し、前記残留信号についての類似性指標はその残留信号と前記第一のオーディオ信号の類似性を示す、
オーディオ・エコー抑制器。
【請求項２】
ラウドスピーカーによるレンダリングのための第一のオーディオ信号を受領する第一の受領器と；
マイクロフォン信号を受領する第二の受領器と；
前記第一のオーディオ信号から第一の補償信号を生成する線形エコー打ち消しフィルタと；
前記マイクロフォン信号から前記第一の補償信号を減算することによって残留信号を生成する補償器と；
前記残留信号に応答して前記線形エコー打ち消しフィルタのためのフィルタ・パラメータの集合を決定する第一の適応器と；
前記第一のオーディオ信号の第一の周波数区間における信号成分のレンダリングによって引き起こされる非線形歪みの指示を与える少なくとも一つの歪み指標の集合を生成するよう構成された第一の推定器であって、少なくとも一つの歪み指標の前記集合のうちの歪み指標は、前記第一の周波数区間の外側の少なくとも一つの周波数区間における前記残留信号への寄与を示す、第一の推定器と；
少なくとも一つの歪み指標の前記集合に応答してエコー抑制を実行するよう構成されたエコー低減器とを有しており、
前記第一の推定器が：
前記第一のオーディオ信号から前記第一の周波数区間についての第一のサブバンド信号を生成する第一のサブバンド生成器と；
前記残留信号から複数の残留サブバンド信号を生成する第二のサブバンド生成器と；
前記第一の周波数区間に属さない少なくともいくつかの残留サブバンド信号についての類似性指標を決定する比較器であって、残留サブバンド信号についての類似性指標はその残留サブバンド信号と前記第一のサブバンド信号の類似性を示す、比較器と；
それらの類似性値から前記第一の周波数区間についての前記歪み指標を決定する第二の推定器とを有する、
請求項１記載のオーディオ・エコー抑制器。
【請求項３】
前記比較器は、第一の残留サブバンド信号についての前記類似性指標を、前記第一のサブバンド信号の信号変動と前記第一の残留サブバンド信号の信号変動の類似性に応答して生成するよう構成されている、請求項２記載のオーディオ・エコー抑制器。
【請求項４】
前記比較器は、第一の残留サブバンド信号についての前記類似性指標を、前記第一のサブバンド信号と前記第一の残留サブバンド信号の相互相関に応答して生成するよう構成されている、請求項２記載のオーディオ・エコー抑制器。
【請求項５】
前記第一の推定器は、複数の周波数区間について歪み指標を生成するよう構成されており、前記エコー低減器は、前記複数の周波数区間の各周波数区間についてのエコー抑制のパラメータを、その周波数区間についての歪み指標に応答して別個に調整するよう構成されている、請求項２記載のオーディオ・エコー抑制器。
【請求項６】
前記第二の推定器は、前記少なくともいくつかの残留サブバンド信号のうちの複数についての類似性値を組み合わせることによって前記歪み指標を生成するよう構成されている、請求項２記載のオーディオ・エコー抑制器。
【請求項７】
前記第二の推定器は、前記第一の周波数区間内の前記第一のオーディオ信号の信号成分からの前記マイクロフォン信号への寄与についてのパワー推定値に関して、前記歪み指標を規格化するよう構成されている、請求項２記載のオーディオ・エコー抑制器。
【請求項８】
前記第二の推定器は、前記第一の周波数区間についての線形エコー・パワー推定値に応答して前記パワー推定値を生成するよう構成されており、前記線形エコー・パワー推定値は、フィルタ・パラメータの前記集合に応答して生成される、請求項７記載のオーディオ・エコー抑制器。
【請求項９】
前記比較器は、前記第一の周波数区間の周波数と前記残留サブバンド信号のサブバンド周波数との間の高調波関係に応答して前記少なくともいくつかの残留サブバンド信号を選択するよう構成されている、請求項２記載のオーディオ抑制器。
【請求項１０】
前記第一の推定器は：
前記残留信号から前記第一の周波数区間についての第一の残留サブバンド信号を生成する第一のサブバンド生成器と；
前記第一のオーディオ信号から複数の第一のオーディオ・サブバンド信号を生成する第二のサブバンド生成器と；
前記第一の周波数区間に属さない少なくともいくつかの第一のオーディオ・サブバンド信号についての類似性指標を決定する前記比較器であって、第一のオーディオ・サブバンド信号についての前記類似性指標は該第一のオーディオ・サブバンド信号と前記第一の残留サブバンド信号の類似性を示す、比較器と；
それらの類似性値から前記第一の周波数区間についての前記歪み指標を決定する第二の推定器とを有する、
請求項１記載のオーディオ・エコー抑制器。
【請求項１１】
前記第二の推定器は、前記第一の残留サブバンド信号についての前記歪み指標を、前記少なくともいくつかの第一のオーディオ・サブバンド信号のうちの複数についての類似性値の組み合わせに基づいて生成するよう構成されている、請求項１０記載のオーディオ・エコー抑制器。
【請求項１２】
前記エコー低減器は、前記ラウドスピーカーによるレンダリングに先立って少なくとも一つの歪み指標の前記集合に応答して前記第一のオーディオ信号を修正するよう構成されている、請求項１記載のオーディオ・エコー抑制器。
【請求項１３】
前記エコー低減器は、前記第一の周波数区間についての前記歪み指標に応答して前記第一の周波数区間における前記第一のオーディオ信号についての利得またはクリッピング・レベルを設定するよう構成されている、請求項１２記載のオーディオ・エコー抑制器。
【請求項１４】
前記エコー低減器は少なくとも一つの歪み指標の前記集合に応答して前記残留信号を修正するよう構成されている、請求項１記載のオーディオ・エコー抑制器。
【請求項１５】
第一の受領器において、ラウドスピーカーによるレンダリングのための第一のオーディオ信号を受領する段階と、
第二の受領器において、マイクロフォン信号を受領する段階と、
線形エコー打ち消しフィルタにおいて、前記第一のオーディオ信号から第一の補償信号を生成する段階と、
補償器において、前記マイクロフォン信号から前記第一の補償信号を減算することによって残留信号を生成する段階と、
第一の適応器によって、前記残留信号に応答して前記線形エコー打ち消しフィルタのためのフィルタ・パラメータの集合を決定する段階と、
第一の推定器によって、前記第一のオーディオ信号の第一の周波数区間における信号成分のレンダリングによって引き起こされる非線形歪みの指示を与える少なくとも一つの歪み指標の集合を生成する段階であって、前記歪み指標は、前記第一の周波数区間の外側の少なくとも一つの周波数区間における前記残留信号への寄与を示す、段階と、
エコー低減器によって、少なくとも一つの歪み指標の前記集合に応答してエコー抑制する段階とを含み、
少なくとも一つの歪み指標の前記集合を生成する前記段階が：
前記第一の周波数区間に属さない前記残留信号についての類似性指標を決定する段階であって、前記残留信号についての類似性指標はその残留信号と前記第一のオーディオ信号の類似性を示す、段階と；
それらの類似性値から前記第一の周波数区間についての前記歪み指標を決定する段階とを含む、
方法。
【請求項１６】
少なくとも一つの歪み指標の前記集合を生成する前記段階がさらに：
第一のサブバンド生成器によって、前記第一のオーディオ信号から前記第一の周波数区間についての第一のサブバンド信号を生成する段階と；
第二のサブバンド生成器によって、前記残留信号から複数の残留サブバンド信号を生成する段階とを含み、
前記類似性指標を決定する前記段階が、前記第一の周波数区間に属さない少なくともいくつかの残留サブバンド信号についてのさらなる類似性指標を決定するよう構成された比較器によって実行され、残留サブバンド信号についての前記さらなる類似性指標はその残留サブバンド信号と前記第一のサブバンド信号の類似性を示す、
請求項１５記載の方法。